(57)【要約】【課題】電子機器での音声認識に基づいて、携帯端末のタッチパネル上のなぞり操作を行うことができる「電子機器およびこれに接続された携帯端末の音声認識操作方法」を提供する。【解決手段】音声入力項目を所定の座標列に変換するための変換テーブル情報を格納した変換テーブル記憶部１３と、音声認識部１５により認識された発話音声が音声入力項目に該当すると入力項目判定部１６により判定された場合、変換テーブル情報を用いて音声入力項目から所定の座標列を生成して携帯端末２０に送信する制御部１７とを備え、車載機１０において音声入力項目が音声認識されたとき、その音声入力項目を所定の座標列に変換して携帯端末２０に送信することにより、携帯端末２０のタッチパネル上でその座標列に対応する位置がなぞり操作されたのと同様の処理を行うことができるようにする。【選択図】図１
2015041243.tif 000002
【特許請求の範囲】
【請求項１】
タッチパネル付きの携帯端末で生成された画像データを受信して画像表示するとともに、上記携帯端末の操作を行うことができるようになされた電子機器であって、
音声入力項目を所定の座標列に変換するための変換テーブル情報を格納した変換テーブル記憶部と、
ユーザが発話した音声を入力する音声入力部と、
上記音声入力部により入力された発話音声を認識する音声認識部と、
上記音声認識部により認識された発話音声が上記音声入力項目に該当するか否かを判定する入力項目判定部と、
上記音声認識部により認識された発話音声が上記音声入力項目に該当すると上記入力項目判定部により判定された場合、上記変換テーブル情報を用いて上記音声入力項目から上記所定の座標列を生成して上記携帯端末に送信する制御部とを備えたことを特徴とする電子機器。
【請求項２】
上記音声入力項目は、上記タッチパネルに対する操作の種類に関する第１の音声入力項目と、上記タッチパネルに対する操作の速度に関する第２の音声入力項目とを含み、
上記入力項目判定部は、上記音声認識部により認識された発話音声が上記第１の音声入力項目に該当するか否か、上記第２の音声入力項目に該当するか否かをそれぞれ判定し、
上記制御部は、上記音声認識部により認識された発話音声が上記第１の音声入力項目のみに該当すると上記入力項目判定部により判定された場合、上記変換テーブル情報を用いて上記第１の音声入力項目から上記所定の座標列を生成して上記携帯端末に対し所定の速度で送信し、上記音声認識部により認識された発話音声が上記第１の音声入力項目および上記第２の音声入力項目の両方に該当すると上記入力項目判定部により判定された場合、上記変換テーブル情報を用いて上記第１の音声入力項目から上記所定の座標列を生成して上記携帯端末に対し上記第２の音声入力項目に応じた速度で送信することを特徴とする請求項１に記載の電子機器。
【請求項３】
上記音声入力項目は、上記タッチパネルに対する操作の種類に関する第１の音声入力項目と、上記タッチパネルに対する操作の回数に関する第３の音声入力項目とを含み、
上記入力項目判定部は、上記音声認識部により認識された発話音声が上記第１の音声入力項目に該当するか否か、上記第３の音声入力項目に該当するか否かをそれぞれ判定し、
上記制御部は、上記音声認識部により認識された発話音声が上記第１の音声入力項目のみに該当すると上記入力項目判定部により判定された場合、上記変換テーブル情報を用いて上記第１の音声入力項目から上記所定の座標列を生成して上記携帯端末に対し１回送信し、上記音声認識部により認識された発話音声が上記第１の音声入力項目および上記第３の音声入力項目の両方に該当すると上記入力項目判定部により判定された場合、上記変換テーブル情報を用いて上記第１の音声入力項目から上記所定の座標列を生成して上記携帯端末に対し上記第３の音声入力項目に応じた回数送信することを特徴とする請求項１に記載の電子機器。
【請求項４】
上記音声入力項目は、上記タッチパネルに対する操作の種類に関する第１の音声入力項目と、上記タッチパネルに対する操作の開始位置に関する第４の音声入力項目とを含み、
上記入力項目判定部は、上記音声認識部により認識された発話音声が上記第１の音声入力項目に該当するか否か、上記第４の音声入力項目に該当するか否かをそれぞれ判定し、
上記制御部は、上記音声認識部により認識された発話音声が上記第１の音声入力項目のみに該当すると上記入力項目判定部により判定された場合、上記変換テーブル情報を用いて、所定の開始位置から操作を開始した場合の座標列を上記第１の音声入力項目から生成して上記携帯端末に送信し、上記音声認識部により認識された発話音声が上記第１の音声入力項目および上記第４の音声入力項目の両方に該当すると上記入力項目判定部により判定された場合、上記変換テーブル情報を用いて、上記第４の音声入力項目に応じた開始位置から操作を開始した場合の座標列を上記第１の音声入力項目から生成して上記携帯端末に送信することを特徴とする請求項１に記載の電子機器。
【請求項５】
上記音声入力項目は、画像のスクロール、拡大・縮小、回転の少なくともいずれかを含むことを特徴とする請求項１に記載の電子機器。
【請求項６】
上記第１の音声入力項目は、画像のスクロール、拡大・縮小、回転の少なくともいずれかを含むことを特徴とする請求項２〜４の何れか１項に記載の電子機器。
【請求項７】
タッチパネル付きの携帯端末に画面表示された画像を電子機器に表示させるようになされたシステムにおいて、上記電子機器から音声認識を利用して上記携帯端末の操作を行うための音声認識操作方法であって、
上記電子機器の音声入力部が、ユーザが発話した音声を入力する第１のステップと、
上記電子機器の音声認識部が、上記音声入力部により入力された発話音声を認識する第２のステップと、
上記電子機器の入力項目判定部が、上記音声認識部により認識された発話音声が所定の音声入力項目に該当するか否かを判定する第３のステップと、
上記電子機器の制御部が、上記音声認識部により認識された発話音声が上記音声入力項目に該当すると上記入力項目判定部により判定された場合、上記音声入力項目を所定の座標列に変換するための変換テーブル情報を用いて上記音声入力項目から上記所定の座標列を生成して上記携帯端末に送信する第４のステップとを有することを特徴とする、電子機器に接続された携帯端末の音声認識操作方法。
【請求項８】
タッチパネル付きの携帯端末に画面表示された画像を車載機に表示させて上記車載機から上記携帯端末の操作を行うことができるようになされた車載システムであって、
上記車載機は、
音声入力項目を所定の座標列に変換するための変換テーブル情報を格納した変換テーブル記憶部と、
ユーザが発話した音声を入力する音声入力部と、
上記音声入力部により入力された発話音声を認識する音声認識部と、
上記音声認識部により認識された発話音声が上記音声入力項目に該当するか否かを判定する入力項目判定部と、
上記音声認識部により認識された発話音声が上記音声入力項目に該当すると上記入力項目判定部により判定された場合、上記変換テーブル情報を用いて上記音声入力項目から上記所定の座標列を生成して上記携帯端末に送信する制御部とを備え、
上記携帯端末は、上記制御部により上記車載機から送られてきた座標列をもとに、上記タッチパネル上で上記座標列に対応する位置がなぞり操作されたのと同様の処理を行うことを特徴とする車載システム。
【発明の詳細な説明】
【技術分野】
【０００１】
本発明は、電子機器およびこれに接続された携帯端末の音声認識操作方法、車載システムに関し、特に、携帯端末に画面表示された画像を電子機器に表示させて電子機器から携帯端末の操作を行うことができるようになされたシステムに適用して好適なものである。
【背景技術】
【０００２】
従来、第１の機器に第２の機器を接続し、第２の機器に対する操作によって第１の機器に関する処理を実行可能にした技術が提供されている（例えば、特許文献１参照）。特許文献１に記載のシステムでは、携帯型メディアデバイスに他のデバイス（アクセサリ）を接続し、携帯型メディアデバイスは自身に表示されるＧＵＩ画像をアクセサリに与え、アクセサリがそのＧＵＩ画像を通じて入力制御部のユーザ動作を携帯型メディアデバイスに送信すると、携帯型メディアデバイスはこのユーザ動作に応答してＧＵＩ画像を更新する。
【０００３】
また、最近では、スマートフォンのような携帯端末と車載機とを連携させるミラーリンク（登録商標：以下同様）と呼ばれる技術が提供されている。ミラーリンクは、携帯端末に表示された画像を車載機のディスプレイに鏡のようにそのまま映すという仕組みで、車載機のディスプレイに表示された画像を通じて携帯端末の操作を行うことができるようになされている。これにより、携帯端末にインストールしたミラーリンク対応のアプリケーション（以下、携帯アプリという）を車載機のディスプレイ上で操作できるようになる。
【０００４】
例えば、図４に示すように、地図アプリがインストールされた携帯端末１０１から、携帯端末１０１にて表示中の地図画像を車載機１０２に送信し、車載機１０２のディスプレイに携帯端末１０１と同じ地図画像を表示させることが可能である。また、車載機１０２のタッチパネルに対するタッチ位置を表す位置情報（座標情報）を車載機１０２から携帯端末１０１に送信し、携帯端末１０１がこの位置情報をもとに、携帯端末１０１のタッチパネル上で車載機１０２と同じ位置がタッチ操作されたのと同様の処理（地図のスクロール、拡大／縮小、回転など）を行うことも可能である。
【０００５】
このように、ミラーリンクでは、携帯アプリを車載機のディスプレイ上で操作できるようにするために、車載機のタッチパネルに対するタッチ位置を座標情報として車載機から携帯端末に送信する構成となっている。そのため、車載機において音声認識して得られるコマンドに基づいて携帯アプリを操作するための情報を携帯端末に送信することができない。よって、車載機での音声認識を用いて携帯アプリの操作を行うためには、携帯アプリ自体を音声認識対応にし、かつ、ミラーリンクではない他の通信制御を使用する必要があった。
【０００６】
なお、ユーザが発話した音声からテキスト符号データを決定し、決定したテキスト符号データの画面上での配置領域（座標）を携帯端末に送信するようにした技術が知られている（例えば、特許文献２参照）。この特許文献２では、車載機が携帯端末から受信した画像データをもとに、画像中に含まれる操作ボタン等のテキスト符号データを抽出し、このテキスト符号データが画面上に位置する領域を特定しておく。そして、操作ボタンの名称等をユーザが発話したときに、その操作ボタンが位置する領域の座標を携帯端末に送信するようになされている。
【先行技術文献】
【特許文献】
【０００７】
【特許文献１】特許第５１３７８９９号公報
【特許文献２】特開２０１２−２１３１３２号公報
【発明の概要】
【発明が解決しようとする課題】
【０００８】
しかしながら、上記特許文献２に記載の技術では、携帯端末から車載機に送信された画像上のあらかじめ決められた位置に配置されている操作ボタンを音声認識によって操作することができるのみである。そのため、携帯端末から車載機に送信されて表示された画像について、タッチパネル上のフリック操作（指で素早くなぞる操作）による画像のスクロール、ピンチ操作（２本の指を使ってその間隔を広げたり縮めたりする操作）による画像の拡大／縮小、ローテーション操作（指を回転させるようになぞる操作）による画像の回転などを音声認識で行うことができないという問題があった。
【０００９】
なお、特許文献２に記載の技術を利用して、画像上にスクロールボタン、拡大ボタン、縮小ボタン、回転ボタンなどを表示させてそれぞれからテキスト符号データを抽出し、このテキスト符号データが画面上に位置する領域（座標）をあらかじめ特定しておけば、スクロール、拡大／縮小、回転などの操作を音声認識によって行うことも可能である。
【００１０】
しかしながら、この場合は、画像上に複数の操作ボタンを配置しなければならなくなり、画像そのものを表示する領域が狭くなって画像の視認性が悪くなるという問題があった。なお、複数の操作ボタンを表示させるか否かを指示するための表示／非表示ボタンのみを初期状態で表示させておき、これが音声認識によって操作されたときに複数の操作ボタンを表示させるという方法も考えられるが、操作の手間が増えてしまうという問題があった。
【００１１】
本発明は、このような問題を解決するために成されたものであり、携帯端末に画面表示された画像を電子機器に表示させて電子機器から携帯端末の操作を行うことができるようになされたシステムにおいて、電子機器での音声認識に基づいて、携帯端末のタッチパネル上でのなぞり操作（フリック、ピンチ、ローテーションなど）を行うことができるようにすることを目的とする。
【課題を解決するための手段】
【００１２】
上記した課題を解決するために、本発明では、タッチパネル付きの携帯端末で生成された画像データを受信して画像表示するとともに、携帯端末の操作を行うことができるようになされた電子機器が、音声入力項目を所定の座標列に変換するための変換テーブル情報を格納した変換テーブル記憶部を備え、音声認識部により認識された発話音声が音声入力項目に該当する場合、変換テーブル情報を用いて音声入力項目から所定の座標列を生成して携帯端末に送信するようにしている。
【発明の効果】
【００１３】
上記のように構成した本発明によれば、電子機器において音声入力項目が音声認識されると、その音声入力項目が所定の座標列に変換されて携帯端末に送信されるので、携帯端末ではその座標列をもとに、携帯端末のタッチパネル上でその座標列に対応する位置がなぞり操作（フリック、ピンチ、ローテーションなど）されたのと同様の処理を行うことが可能となる。これにより、電子機器での音声認識に基づいて携帯端末のタッチパネル上でのなぞり操作を行うことができる。
【図面の簡単な説明】
【００１４】
【図１】本発明の電子機器の一実施形態に係る車載機の機能構成例を示すブロック図である。
【図２】本実施形態による変換テーブル記憶部に格納される変換テーブル情報の一例を示す図である。
【図３】本実施形態による車載機の動作例を示すフローチャートである。
【図４】ミラーリンクで連携された車載機と携帯端末の動作を説明するための図である。
【発明を実施するための形態】
【００１５】
以下、本発明の一実施形態を図面に基づいて説明する。図１は、本発明の電子機器の一実施形態に係る車載機の機能構成例を示すブロック図である。本実施形態の車載機１０は、タッチパネル付きの携帯端末２０とミラーリンクで連携する。そして、携帯端末２０で生成された画像データを受信して画像表示するとともに、携帯端末２０にインストールされているアプリケーション（本実施形態では、地図アプリ）の操作（地図のスクロール、拡大／縮小、回転）を車載機１０から行うことができるようになされている。
【００１６】
図１に示すように、本実施形態の車載機１０は、その機能構成として、画像データ受信部１１、画像表示制御部１２、変換テーブル記憶部１３、音声入力部１４、音声認識部１５、入力項目判定部１６および制御部１７を備えている。ここで、車載機１０には、タッチパネル付きディスプレイ３０（以下、単にディスプレイ３０とも記す）およびマイク４０が接続され、あるいは、一体として構成されている。
【００１７】
上記各機能ブロック１１〜１２，１４〜１７は、ハードウェア、ＤＳＰ（Digital Signal Processor）、ソフトウェアの何れによっても構成することが可能である。例えばソフトウェアによって構成する場合、上記各機能ブロック１１〜１２，１４〜１７は、実際には車載機１０が備えるコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１８】
画像データ受信部１１は、携帯端末２０のタッチパネル付きディスプレイ２１（以下、単にディスプレイ２１とも記す）に表示中の地図画像に係る画像データを携帯端末２０から受信する。画像表示制御部１２は、画像データ受信部１１により受信された画像データに基づいて、地図画像をディスプレイ３０に表示させる。
【００１９】
なお、携帯端末２０のディスプレイ２１は縦長型であり、車載機１０に接続されたディスプレイ３０は横長型である。携帯端末２０は、車載機１０とミラーリンク接続されたとき、ディスプレイ２１に表示中の縦長型の地図画像を車載機１０のディスプレイ３０に表示すべき横長型の地図画像へと変換して自身のディスプレイ２１の表示を横長型の地図画像に変更した上で、変換後の画像データを車載機１０に送信する。車載機１０の画像データ受信部１１は、この画像データを受信する。
【００２０】
画像データ受信部１１によって携帯端末２０から画像データが受信され、画像表示制御部１２によってその画像データに基づいて地図画像がディスプレイ３０に表示されると、ディスプレイ３０上で地図画像が表示された位置を示す座標情報（例えば、ディスプレイ３０の四隅の座標情報）が車載機１０から携帯端末２０に返される。携帯端末２０では、車載機１０から返されてきたディスプレイ３０の四隅の座標情報と、ディスプレイ２１の四隅の座標情報とを対応付けて記憶する（以下、この記憶する情報を「座標関連付け情報」という）。
【００２１】
これにより、車載機１０のタッチパネルに対するタッチ位置を表す座標情報を車載機１０から携帯端末２０に送信し、携帯端末２０がこの座標情報を座標関連付け情報に基づいて携帯端末２０のタッチパネル上の座標情報に変換することにより、携帯端末２０のタッチパネル上で車載機１０と同じ位置がタッチ操作されたのと同様の処理を行うことが可能な状態となる。
【００２２】
変換テーブル記憶部１３は、音声認識の対象としたい複数の音声入力項目（音声コマンド）をそれぞれタッチパネル付きディスプレイ３０のタッチパネル上における座標列に変換するための変換テーブル情報をあらかじめ格納している。本実施形態において、音声入力項目は、地図画像のスクロール、拡大・縮小、回転の少なくともいずれかに関する音声コマンドを含む。
【００２３】
例えば、地図画像のスクロールに関して、「右スクロール」、「左スクロール」、「上スクロール」、「下スクロール」といった音声コマンドをそれぞれ所定の座標列に変換するための情報が格納されている。また、地図画像の拡大・縮小に関して、「拡大」、「縮小」といった音声コマンドをそれぞれ所定の座標列に変換するための情報が格納されている。さらに、地図画像の回転に関して、「右回転」、「左回転」といった音声コマンドをそれぞれ所定の座標列に変換するための情報が格納されている。
【００２４】
図２は、一例として「右スクロール」および「拡大」の音声コマンドをそれぞれ所定の座標列に変換するための変換テーブル情報を示す図である。図２に示すように、変換テーブル記憶部１３には、「右スクロール」の音声コマンドに対応して、タッチパネル上の所定の開始位置から終了位置まで、右から左方向へと所定の長さだけ１本の指でフリック操作をした場合に得られる座標列が格納されている。また、「拡大」の音声コマンドに対応して、タッチパネル上の所定の開始位置（例えば、タッチパネルの中央点）を中心として、２本の指を使ってその間隔を押し広げるピンチ操作をした場合に得られる座標列が格納されている。
【００２５】
音声入力部１４は、ユーザが発話した音声をマイク４０より入力する。音声認識部１５は、音声入力部１４により入力された発話音声を認識する。すなわち、音声認識部１５は、音声認識辞書を備えており、音声入力部１４により入力された発話音声が音声認識辞書に登録されている音声のどれと合致するかを認識し、合致した音声を例えばテキスト情報として出力する。
【００２６】
入力項目判定部１６は、変換テーブル記憶部１３に格納されている変換テーブル情報を参照して、音声認識部１５により認識された発話音声が音声入力項目に該当するか否かを判定する。すなわち、入力項目判定部１６は、音声認識部１５より出力される認識音声のテキスト情報が、変換テーブル記憶部１３に音声コマンドのテキスト情報として格納されているか否かを判定する。
【００２７】
制御部１７は、音声認識部１５により認識された発話音声が音声入力項目に該当すると入力項目判定部１６により判定された場合、変換テーブル記憶部１３に格納されている変換テーブル情報を用いて、音声入力項目から所定の座標列を生成して携帯端末２０に送信する。
【００２８】
携帯端末２０では、制御部１７により車載機１０から送られてきた座標列をもとに、携帯端末２０のタッチパネル上でその座標列に対応する位置がなぞり操作（フリック、ピンチ、ローテーションなど）されたのと同様の処理を行う。すなわち、携帯端末２０では、上述した座標関連付け情報を用いて、車載機１０から送られてきた座標列（タッチパネル付きディスプレイ３０におけるタッチパネル上での疑似的な操作座標列）を、携帯端末２０のタッチパネル上での疑似的な操作座標列に変換し、変換後の座標列に対応する位置がなぞり操作されたのと同様の処理を行う。
【００２９】
図３は、上記のように構成した本実施形態による車載機１０の動作例を示すフローチャートである。なお、図３に示すフローチャートの処理は、車載機１０と携帯端末２０とを接続してミラーリンクで連携させたときに開始する。まず、画像データ受信部１１は、携帯端末２０のディスプレイ２１に表示中の地図画像に係る画像データを携帯端末２０から受信する（ステップＳ１）。そして、画像表示制御部１２は、画像データ受信部１１により受信された画像データに基づいて、地図画像をディスプレイ３０に表示させる（ステップＳ２）。その後、車載機１０は、地図画像が表示されたディスプレイ３０の四隅の座標情報を携帯端末２０に返信する（ステップＳ３）。
【００３０】
次に、音声入力部１４は、ユーザによる発話音声がマイク４０より入力されたか否かを判定する（ステップＳ４）。発話音声が入力されていない場合、車載機１０は、携帯端末２０とのミラーリンクによる連携が終了したか否かを判定し（ステップＳ５）、連携が終了した場合は図３に示すフローチャートの処理を終了する。連携が終了していなければ、処理はステップＳ１に戻る。これにより、携帯端末２０において地図画像が更新されるのに合わせて、車載機１０においても地図画像が随時更新して表示される。
【００３１】
一方、音声入力部１４により発話音声が入力された場合、音声認識部１５は、音声入力部１４により入力された発話音声を認識する（ステップＳ６）。次いで、入力項目判定部１６は、音声認識部１５により認識された発話音声が所定の音声入力項目に該当するか否かを判定する（ステップＳ７）。ここで、音声認識部１５により認識された発話音声が所定の音声入力項目に該当しないと判定された場合、入力項目判定部１６は、発話音声が音声入力項目に該当しない旨をユーザに知らせるエラーメッセージをディスプレイ３０に表示させる（ステップＳ８）。その後、処理はステップＳ１に戻る。
【００３２】
一方、音声認識部１５により認識された発話音声が音声入力項目に該当すると入力項目判定部１６により判定された場合、制御部１７は、変換テーブル記憶部１３に格納されている変換テーブル情報を用いて、音声入力項目から所定の座標列を生成して携帯端末２０に送信する（ステップＳ９）。その後、処理はステップＳ１に戻る。これにより、車載機１０から送られた座標列に基づいて携帯端末２０において所定の処理が実行され、それによって更新された地図画像と同じ地図画像がディスプレイ３０に表示されることとなる。
【００３３】
以上詳しく説明したように、本実施形態の車載機１０は、音声認識用の音声入力項目（音声コマンド）を所定の座標列に変換するための変換テーブル情報を格納した変換テーブル記憶部１３を備え、音声認識部１５により認識された発話音声が音声入力項目に該当する場合、変換テーブル情報を用いて音声入力項目から所定の座標列を生成して携帯端末２０に送信するようにしている。
【００３４】
このように構成した本実施形態によれば、車載機１０において音声入力項目が音声認識されると、その音声入力項目が所定の座標列に変換されて携帯端末２０に送信されるので、携帯端末２０ではその座標列をもとに、携帯端末２０のタッチパネル上でその座標列に対応する位置がなぞり操作（フリック、ピンチ、ローテーションなど）されたのと同様の処理を行うことが可能となる。これにより、車載機１０での音声認識に基づいて携帯端末２０のタッチパネル上でのなぞり操作を行うことができる。
【００３５】
なお、上記実施形態において、操作処理内容に加えて「速度（高速・低速）」を表す言葉が発話された場合には、車載機１０から携帯端末２０に座標列を送信する時間を通常より短くまたは長くするようにしてもよい。この場合、音声入力項目は、タッチパネルに対する操作の種類に関する第１の音声入力項目と、タッチパネルに対する操作の速度に関する第２の音声入力項目とを含む。変換テーブル記憶部１３は、第１の音声入力項目をそれぞれタッチパネル付きディスプレイ３０のタッチパネル上における座標列に変換するための変換テーブル情報をあらかじめ格納する。
【００３６】
入力項目判定部１６は、音声認識部１５により認識された発話音声が第１の音声入力項目に該当するか否か、第２の音声入力項目に該当するか否かをそれぞれ判定する。具体的には、入力項目判定部１６は、音声認識部１５により認識された発話音声が第１の音声入力項目のみに該当するか否か、第１の音声入力項目と第２の音声入力項目との組み合わせに該当するか否かを判定する。
【００３７】
制御部１７は、音声認識部１５により認識された発話音声が第１の音声入力項目のみに該当すると入力項目判定部１６により判定された場合、変換テーブル情報を用いて第１の音声入力項目から所定の座標列を生成して携帯端末２０に対し所定の速度で送信する。この動作は上述した実施形態と同様である。例えば、音声認識部１５により認識された発話音声が「右スクロール」であった場合、制御部１７は、「右スクロール」に対応する座標列を生成して携帯端末２０に対してこれを通常の速度で送信する。
【００３８】
一方、音声認識部１５により認識された発話音声が第１の音声入力項目および第２の音声入力項目の両方に該当すると入力項目判定部１６により判定された場合、制御部１７は、変換テーブル情報を用いて第１の音声入力項目から所定の座標列を生成し、携帯端末２０に対して第２の音声入力項目に応じた速度で送信する。例えば、音声認識部１５により認識された発話音声が「高速右スクロール」であった場合、制御部１７は、「右スクロール」に対応する座標列を生成し、携帯端末２０に対して通常よりも速い所定の速度で（つまり、１つ１つの座標を送信する時間間隔を短くして）送信する。また、音声認識部１５により認識された発話音声が「低速右スクロール」であった場合、制御部１７は、「右スクロール」に対応する座標列を生成し、これを携帯端末２０に対して通常よりも遅い所定の速度で送信する。
【００３９】
「右スクロール」に対応する座標列が通常よりも速い速度で携帯端末２０に送信された場合、携帯端末２０では、地図画像の右スクロールが通常よりも速い速度で実行される。これにより、車載機１０に表示される地図画像においても、地図画像の右スクロールが通常よりも速い速度で行われる。同様に、「右スクロール」に対応する座標列が通常よりも遅い速度で携帯端末２０に送信された場合、携帯端末２０では、地図画像の右スクロールが通常よりも遅い速度で実行される。これにより、車載機１０に表示される地図画像においても、地図画像の右スクロールが通常よりも遅い速度で行われる。
【００４０】
また、上記実施形態において、操作処理内容に加えて「回数・段階」を表す言葉が発話された場合には、回数または段階に応じて座標列を車載機１０から携帯端末２０に複数回送信するようにしてもよい。この場合、音声入力項目は、タッチパネルに対する操作の種類に関する第１の音声入力項目と、タッチパネルに対する操作の回数に関する第３の音声入力項目とを含む。変換テーブル記憶部１３は、第１の音声入力項目をそれぞれタッチパネル付きディスプレイ３０のタッチパネル上における座標列に変換するための変換テーブル情報をあらかじめ格納する。
【００４１】
入力項目判定部１６は、音声認識部１５により認識された発話音声が第１の音声入力項目に該当するか否か、第３の音声入力項目に該当するか否かをそれぞれ判定する。具体的には、入力項目判定部１６は、音声認識部１５により認識された発話音声が第１の音声入力項目のみに該当するか否か、第１の音声入力項目と第３の音声入力項目との組み合わせに該当するか否かを判定する。
【００４２】
制御部１７は、音声認識部１５により認識された発話音声が第１の音声入力項目のみに該当すると入力項目判定部１６により判定された場合、変換テーブル情報を用いて第１の音声入力項目から所定の座標列を生成して携帯端末２０に対し１回送信する。この動作は上述した実施形態と同様である。例えば、音声認識部１５により認識された発話音声が「拡大」であった場合、制御部１７は、「拡大」に対応する座標列を生成し、これを携帯端末２０に対して１回だけ送信する。
【００４３】
一方、音声認識部１５により認識された発話音声が第１の音声入力項目および第３の音声入力項目の両方に該当すると入力項目判定部１６により判定された場合、制御部１７は、変換テーブル情報を用いて第１の音声入力項目から所定の座標列を生成し、これを携帯端末２０に対して第３の音声入力項目に応じた回数送信する。
【００４４】
例えば、音声認識部１５により認識された発話音声が「２段階拡大」であった場合、制御部１７は、「拡大」に対応する座標列を生成し、携帯端末２０に対してこれを２回送信する。「拡大」に対応する座標列が携帯端末２０に２回送信された場合、携帯端末２０では、地図画像の拡大が２段階にわたって実行される。これにより、車載機１０に表示される地図画像においても、地図画像の拡大が２段階にわたって行われる。
【００４５】
なお、上記実施形態では、携帯端末２０にインストールされている携帯アプリの例として地図アプリを挙げて説明したが、本発明を適用可能な携帯アプリは地図アプリに限定されない。すなわち、フリック、ピンチ、ローテーションなどのなぞり操作に応じて所定の処理を実行する機能を有する携帯アプリであれば、何れも適用することが可能である。
【００４６】
また、上記実施形態では、電子機器の一例として車載機１０を挙げて説明したが、本発明を適用可能な電子機器は車載機１０に限定されない。すなわち、ミラーリンクまたはこれと同様の通信制御技術に対応した電子機器であれば何れにも適用することが可能である。
【００４７】
また、上記実施形態では、地図画像を拡大・縮小するための音声入力項目（音声コマンド）として「拡大」、「縮小」を用い、固定の一点（例えば、画面中央点）を中心として地図画像を拡大または縮小する例について説明したが、拡大／縮小の中心点の位置を第４の音声入力コマンドとして用いるようにしてもよい。例えば、音声認識部１５により認識された発話音声が「右上拡大」であった場合、制御部１７は、タッチパネル付きディスプレイ３０の右上エリア内にある所定の１点を中心として、２本の指を使ってその間隔を押し広げるピンチ操作をした場合に得られる座標列を生成し、これを携帯端末２０に対して送信する。
【００４８】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００４９】
１０  車載機（電子機器）
１１  画像データ受信部
１２  画像表示制御部
１３  変換テーブル記憶部
１４  音声入力部
１５  音声認識部
１６  入力項目判定部
１７  制御部
２０  携帯端末
【図１】
2015041243.tif 000003
【図２】
2015041243.tif 000004
【図３】
2015041243.tif 000005
【図４】
2015041243.tif 000006